(57)【要約】【課題】電子楽器の鍵盤装置において、アコースティック・ピアノの鍵盤装置の押鍵感触を模擬する。【解決手段】ハンマー１４０に脱進器５００を取り付けた。ハンマー１４０に設けられた軸１４８は支持部５３０に挿通し、支持部５３０に支持される可動部５１０は回動可能である。鍵１０の押鍵動作の態様はハンマー１４０に伝わり、ハンマー１４０の挙動に応じて可動部５１０に働くモーメントの強さが変わり、可動部５１０の姿勢に影響する。このため、可動部５１０が受け部１７０にぶつかるときの、ハンマー１４０とこれを制止するストッパー１５３との距離が変わる。強押鍵であるほど、可動部５１０と受け部１７０がぶつかるときの、ハンマー１４０とストッパー１５３との距離が近い。このため、強押鍵時に、演奏者は可動部５１０が受け部１７０にぶつかることによる荷重変化を感じにくくなる。【選択図】図１
2009086425.tif 000002
【特許請求の範囲】
【請求項１】
鍵と、
上記鍵と連動して傾動可能な部材である第１部材と、
上記第１部材の傾動を制止する制止部材と
を少なくとも備えた電子楽器の鍵盤装置において、
上記第１部材に取り付けられた脱進器と、
不動の部材である第２部材と
を備え、
上記脱進器は、上記第１部材との位置関係が変わらない支持部と、この支持部に支持または一体形成されるとともに上記第１部材に対して変位可能な可動部と、上記可動部と上記第１部材または上記支持部とを接続する弾性体とを備え、
上記脱進器の上記可動部は、上記鍵の押鍵動作過程において、上記第２部材にぶつかることができるとともに、ぶつかった後は、上記第２部材の上記可動部に対する相対的な進行を妨げないように運動し、
上記鍵の押鍵動作の態様に応じて上記可動部の上記第１部材に対する相対的な位置が異なるとともに、上記可動部が上記第２部材にぶつかるときの上記可動部の上記第１部材に対する相対的な位置が、上記第１部材が静止状態にあるときの上記可動部の上記第１部材に対する相対的な位置に近いほど、上記可動部が上記第２部材にぶつかるときの上記第１部材と上記制止部材との距離が遠く、上記可動部が上記第２部材にぶつかるときの上記可動部の上記第１部材に対する相対的な位置が、上記第１部材が静止状態にあるときの上記可動部の上記第１部材に対する相対的な位置から離れるほど、上記可動部が上記第２部材にぶつかるときの上記第１部材と上記制止部材との距離が近い
ことを特徴とする電子楽器の鍵盤装置。
【請求項２】
上記鍵の押鍵動作過程において、上記脱進器の上記可動部の上記第１部材に対する相対的な位置が、上記第１部材が静止状態にあるときの上記可動部の上記第１部材に対する相対的な位置から所定距離よりも離れると、上記可動部は上記第２部材にぶつかることなく、上記第１部材は上記制止部材に制止される
ことを特徴とする請求項１に記載の電子楽器の鍵盤装置。
【請求項３】
上記脱進器は、上記第１部材の傾動変位量が最大となる部位に取り付けられる
ことを特徴とする請求項１または請求項２に記載の電子楽器の鍵盤装置。
【請求項４】
上記脱進器は、上記脱進器が取り付けられる上記第１部材の部位が上記鍵の押鍵動作に応じて進行する側に上記可動部が位置するように取り付けられているとともに、上記脱進器の上記支持部は、上記第１部材の傾動支軸に近い側に設けられ、上記脱進器の上記弾性体は、上記第１部材の傾動支軸から遠い側に設けられた
ことを特徴とする請求項１から請求項３のいずれかに記載の電子楽器の鍵盤装置。
【請求項５】
上記脱進器の上記支持部と上記第１部材とは軸を介して接続されており、
上記脱進器の上記可動部は、上記支持部に一体形成されるとともに、上記軸周りに回動することで上記第１部材に対して相対的に変位可能であり、
上記弾性体の一端は上記脱進器の上記可動部に接続され、
上記弾性体の他端は上記第１部材に接続されている
ことを特徴とする請求項１から請求項４のいずれかに記載の電子楽器の鍵盤装置。
【請求項６】
上記脱進器の上記支持部は、上記第１部材に固定して取り付けられる取付部と、上記可動部を支持するヒンジ部とからなり、
上記脱進器の上記可動部は、上記ヒンジ部を支点として傾動することで、上記第１部材に対して相対的に変位可能であり、
上記弾性体の一端は上記可動部に接続され、
上記弾性体の他端は上記取付部に接続されている
ことを特徴とする請求項１から請求項４のいずれかに記載の電子楽器の鍵盤装置。
【請求項７】
鍵と、
上記鍵の押鍵動作に応じて傾動可能な部材である第１部材と
を少なくとも備えた電子楽器の鍵盤装置に用いられる脱進器であり、
上記第１部材に固定して取り付けられる取付部と、
上記取付部に設けられたヒンジ部と、
上記ヒンジ部に支持されて傾動可能な可動部と、
上記可動部と上記取付部とを接続する弾性体と
を備えた脱進器。
【請求項８】
上記取付部、上記ヒンジ部、上記可動部および上記弾性体が一体に形成されている
ことを特徴とする請求項７に記載の脱進器。
【発明の詳細な説明】
【技術分野】
【０００１】
本発明は、アコースティック・ピアノの鍵盤装置の押鍵感触を模擬した電子楽器の鍵盤装置および脱進器に関する。
【背景技術】
【０００２】
アコースティック・ピアノの鍵盤装置では、押鍵時に、アクション機構に由来する独特の押鍵感触が得られる。このアクション機構は、鍵が或る程度の勢いで押し下げられると、ハンマーを弦に向かって発射し、他方、鍵がゆっくりと押し下げられると、ハンマーが弦に接近するものの接触する前にハンマーが弦から離れる（エスケープメント）ようになっている〔レットオフ（let off）〕。アクション機構の挙動は鍵に伝わるため、或る程度の勢いで鍵を押し下げたときでは、演奏者はハンマーの発射による鍵の荷重変化をレットオフ感として知覚し、ゆっくりと鍵を押し下げるときでは、演奏者はエスケープメントをレットオフ感として知覚する。ここで、レットオフ感とは、鍵を押し下げていったときにスッと抜けるというように表現される、あるいは、鍵から伝わる抗力が瞬間的に弱まるというように表現される感覚のことである。
【０００３】
弦をハンマーで叩くことで発音させるアコースティック・ピアノに対して、例えば電子ピアノようのような電子楽器では、スイッチのオン・オフ等の電気的処理によって発音させるため、原理的にアコースティック・ピアノが持つようなアクション機構は不要である。
【０００４】
しかしながら、電子ピアノのようにピアノ音を模擬的に発音する電子楽器では、押鍵感触についてもアコースティック・ピアノのそれに摸擬することが要求される傾向にある。
【０００５】
アコースティック・ピアノにおける鍵盤装置の押鍵感触を模擬した電子楽器の鍵盤装置として、例えば特許文献１に開示される鍵盤装置がある。この鍵盤装置では、鍵に連動するハンマーの端部に舌状凸部が設けられ、他方、ハンマーとは別のレットオフ・ユニットに舌状凸部に係合可能とされたジャックが設けられている。このため、押鍵時において、舌状凸部がジャックに引っかかるようにして係合することで抗力が生じるとともにさらに鍵の押下が進むと前記係合が解除されることで鍵の荷重（押鍵反力）が増大から減少に転じる変化が生じ、演奏者にレットオフ感を知覚せしめる構成となっている。
【特許文献１】特許第３８６２８５８号
【発明の開示】
【発明が解決しようとする課題】
【０００６】
このような従来の構成では、鍵の押鍵動作の態様（例えば鍵が強く押される強押鍵や弱く押される弱押鍵など）に拠らず、鍵の押下量が所定量になったときに必ず舌状凸部がジャックに係合するため、鍵の押鍵動作の態様に係らずレットオフ感が得られるものとなっていた。
【０００７】
しかし、アコースティック・ピアノでは強押鍵時にレットオフ感が得られないため、従来の電子楽器では、強押鍵時のレットオフ感が演奏者に違和感として知覚されることとなっていた。
【０００８】
そこで本発明は、上記問題点に鑑み、アコースティック・ピアノにおける鍵盤装置の押鍵感触を模擬した電子楽器の鍵盤装置および脱進器を提供することを目的とする。
【課題を解決するための手段】
【０００９】
上記課題を解決するために、本発明である電子楽器の鍵盤装置は、次のような構成とされる。即ち、鍵と、鍵と連動して傾動可能な部材である第１部材と、第１部材の傾動を制止する制止部材とを少なくとも備えた電子楽器の鍵盤装置において、第１部材に取り付けられた脱進器と、不動の部材である第２部材とを備えており、（Ａ）この脱進器は、第１部材との位置関係が変わらない支持部と、この支持部に支持または一体形成されるとともに第１部材に対して変位可能な可動部と、可動部と第１部材または支持部とを接続する弾性体とを備えており、（Ｂ）脱進器の可動部は、鍵の押鍵動作過程において、第２部材にぶつかることができるとともに、ぶつかった後は、第２部材の可動部に対する相対的な進行を妨げないように運動し、（Ｃ）鍵の押鍵動作の態様に応じて可動部の第１部材に対する相対的な位置が異なるとともに、可動部が第２部材にぶつかるときの可動部の第１部材に対する相対的な位置が、第１部材が静止状態にあるときの可動部の第１部材に対する相対的な位置に近いほど、可動部が第２部材にぶつかるときの第１部材と制止部材との距離が遠く、可動部が第２部材にぶつかるときの可動部の第１部材に対する相対的な位置が、第１部材が静止状態にあるときの可動部の第１部材に対する相対的な位置から離れるほど、可動部が第２部材にぶつかるときの第１部材と制止部材との距離が近いことを特徴とする電子楽器の鍵盤装置である。
【００１０】
この電子楽器の鍵盤装置では、（Ａ）の構成から、鍵の押鍵動作を受けた第１部材の傾動によって脱進器の支持部回りにモーメントが生じ、可動部が動くことになる。そして、（Ｂ）と（Ｃ）の構成から、可動部が第２部材にぶつかったときから第１部材が制止させられるまでの第１部材の変位量が鍵の押鍵動作の態様に応じて変化する。この構成では、第１部材が素早く動くような鍵の押鍵動作がなされると、ぶつかるときの可動部の第１部材に対する相対的な位置が、第１部材が静止状態にあるときの可動部の第１部材に対する相対的な位置から離れるから、ぶつかるときの第１部材と制止部材との距離が近く、変位量は小さくなる。一方、第１部材がゆっくり動くような鍵の押鍵動作がなされると、ぶつかるときの可動部の第１部材に対する相対的な位置が、第１部材が静止状態にあるときの可動部の第１部材に対する相対的な位置に近くから、ぶつかるときの第１部材と制止部材との距離が遠く、変位量は大きくなる。なお、可動部は、第２部材にぶつかったときに力の反作用を受け、これが支持部、第１部材などを介して鍵の荷重（押鍵反力）の急激な増大変化として現れるが、押鍵動作過程の進行に伴い第２部材の可動部に対する相対的な進行を妨げないように運動することで、第２部材から受ける力は減少する。従って、可動部が第２部材にぶつかった後は、鍵の荷重（押鍵反力）は減少変化する。さらに、この電子楽器の鍵盤装置では、弾性体が橋設されているため、押鍵動作が解除されると、可動部は鍵が静止状態に在るときの位置に回復する。
【００１１】
鍵の押鍵動作過程において、可動部の第１部材に対する相対的な位置が、第１部材が静止状態にあるときの可動部の第１部材に対する相対的な位置から所定距離よりも離れると、可動部は第２部材にぶつかることなく、第１部材は制止部材に制止される構成としてもよい。
この構成であれば、鍵の押鍵動作過程において、可動部の第１部材に対する相対的な位置が、第１部材が静止状態にあるときの可動部の第１部材に対する相対的な位置から所定距離よりも離れるような押鍵動作――例えば、強押鍵――がなされた場合、可動部は第２部材にぶつかることなく、第１部材は制止部材に制止されるから、第１部材の制止前に鍵の荷重増加が生じることが無い。このため、演奏者はレットオフ感を得ることがない。
【００１２】
また、脱進器を、第１部材の傾動変位量が最大となる部位に取り付けるとしてもよい。
この構成であれば、可動部が第２部材にぶつかるまでの距離を十分に確保することができる。
【００１３】
また、脱進器が取り付けられる第１部材の部位が鍵の押鍵動作に応じて進行する側に可動部が位置するように脱進器が取り付けられているとともに、脱進器の支持部を、第１部材の傾動支軸に近い側に設け、脱進器の弾性体を、第１部材の傾動支軸から遠い側に設けた構成とすることもできる。
この構成であれば、押鍵動作状態において可動部は第１部材に近接するように動き、弾性体が橋設されていることから、可動部の動きが制限されたものとなる。
【００１４】
例えば、脱進器の支持部と第１部材とが軸を介して接続されており、脱進器の可動部が、支持部に一体形成されるとともに、軸周りに回動することで第１部材に対して相対的に変位可能であり、弾性体の一端が可動部に接続され、弾性体の他端が第１部材に接続されている構成とすることができる。
【００１５】
あるいは、脱進器の支持部が、第１部材に固定して取り付けられる取付部と、可動部を支持するヒンジ部とからなり、可動部は、ヒンジ部を支点として傾動することで、第１部材に対して相対的に変位可能であり、弾性体の一端が可動部に接続され、弾性体の他端が取付部に接続されている構成とすることができる。
【００１６】
上記課題を解決するために、本発明である脱進器は、次のような構成とされる。即ち、鍵と、鍵の押鍵動作に応じて傾動可能な部材である第１部材とを少なくとも備えた電子楽器の鍵盤装置に用いられる脱進器として、第１部材に固定して取り付けられる取付部と、この取付部に設けられたヒンジ部と、このヒンジ部に支持されて傾動可能な可動部と、この可動部と取付部とを接続する弾性体とを備えた脱進器である。なお、取付部、ヒンジ部、可動部および弾性体を一体に形成してもよい。
【発明の効果】
【００１７】
この発明によれば、可動部が第２部材にぶつかることによって鍵の荷重が増大変化し、その後、鍵の荷重が減少変化に転じるから、演奏者はレットオフ感を得る。加えて、この発明によれば、可動部が第１部材の運動に応じて動き、可動部が第２部材にぶつかったときから第１部材が制止させられるまでの第１部材の変位量が鍵の押鍵動作の態様に応じて変化する。つまり、第１部材が素早く動くような鍵の押鍵動作（強押鍵）がなされると、可動部が第２部材にぶつかったときにおける第１部材と制止部材との距離が近く、第１部材の変位量は小さくなる。このため、小さい変位量を第１部材が動く間に鍵の荷重の減少変化があるとしても演奏者はこれを知覚し難く、強押鍵の場合に演奏者はレットオフ感を得ないかあるいは得難くなる。従って演奏者は、アコースティック・ピアノにおける鍵盤装置の押鍵感触に極めて近い感触を得ることができる。
【発明を実施するための最良の形態】
【００１８】
本発明の実施形態を図面参照して説明する。
≪第１実施形態≫
図１は、本発明である電子楽器の鍵盤装置の第１実施形態について、その側面図を示したものである。本発明の要諦は、脱進器の脱進機構によってレットオフ感の変化を惹起せしめる点にあるから、本発明の要諦に直接の影響を及ぼさない鍵盤装置の従来的機構・形状・材質等については概説するに留めるか説明を略する。
【００１９】
まず、鍵盤装置（１）は、鍵（１０）と、鍵（１０）などを支持する役割を担うフレーム（１００）を備えている。鍵（１０）は、フレーム（１００）の上方〔図１では、紙面の上側である。〕に位置し、鍵（１０）の一端（１１）で傾動可能に支持されている。図１では、鍵（１０）として白鍵を例示している。フレーム（１００）は図示しない台座に固定されている。
【００２０】
また、鍵盤装置（１）は、基板フレーム（２１０）に支持されるスイッチ基板（２００）を具備している。スイッチ基板（２００）にはゴムスイッチ（２２０）が取り付けられている。ゴムスイッチ（２２０）がＯＮ状態になることで発音制御がなされる。なお、基板フレーム（２１０）は図示しない台座に固定されている。
【００２１】
また、鍵盤装置（１）は、鍵（１０）の下方〔図１では、紙面の下側である。〕に配されたハンマー（１４０）を具備している。ハンマー（１４０）は、支軸（１４１）を支点として傾動可能とされ、支軸（１４１）を基準としたハンマー（１４０）の左右の重量バランスは非対称である。ここでは便宜的に、ハンマー（１４０）の支軸（１４１）より右側〔図１では、紙面の右側である。〕の部分をハンマーＡ（１４０Ａ）、ハンマー（１４０）の支軸（１４１）より左側の部分をハンマーＢ（１４０Ｂ）と呼称する。重量バランスは、ハンマーＢ（１４０Ｂ）よりもハンマーＡ（１４０Ａ）の方が大とされている。また、ハンマー（１４０）の支軸（１４１）に近い部分（１４３）と鍵（１０）の一端（１１）との間には板バネ（３００）が橋設されている。
【００２２】
このような構成において、非押鍵時では、ハンマーＢ（１４０Ｂ）に設けられた鍵当接部（１４２）が鍵（１０）に当接して鍵（１０）を上方に押し上げようとする。しかし、フレーム（１００）は、第１のストッパー（１５１）および第４のストッパー（１５４）を具備しており、第１のストッパー（１５１）が鍵（１０）に当接することで鍵（１０）の上方への移動が規制され、第４のストッパー（１５４）がハンマーＡ（１４０Ａ）に当接することでハンマーＡ（１４０Ａ）の下方への移動が規制される。これによって、非押鍵時での鍵（１０）の位置決めがなされている。
【００２３】
非押鍵状態から鍵（１０）を押下げると、鍵（１０）が鍵当接部（１４２）を下方に向けて押下げるから、ハンマーＢ（１４０Ｂ）が支軸（１４１）回りに下方へ傾動し、この傾動に伴いハンマーＡ（１４０Ａ）が支軸（１４１）回りに上方に向けて傾動する。
【００２４】
鍵（１０）を十分に押鍵すると、鍵（１０）はフレーム（１００）が具備する第２のストッパー（１５２）に当接し、鍵（１０）の下方への移動が規制されるとともに、ハンマーＡ（１４０Ａ）に設けられた制止部材当接部（１４９）はフレーム（１００）が具備する制止部材である第３のストッパー（１５３）に当接し、ハンマーＡ（１４０Ａ）の上方への傾動が規制される。これによって、鍵（１０）のあがきが決まる。
なお、このとき、ハンマーＢ（１４０Ｂ）に設けられたスイッチ当接部（１４５）がゴムスイッチ（２２０）に圧接しており、ゴムスイッチ（２２０）がＯＮ状態となって発音制御がなされる。
【００２５】
以下、本発明の要諦を説明していく。
脱進器（５００）は、ハンマー（１４０）の傾動変位量が最大となる部位である、ハンマーＡ（１４０Ａ）の端部（１４７）に取り付けられている。つまり、第１実施形態ではハンマー（１４０）が第１部材に相当する。ハンマー（１４０）および脱進器（５００）のみを図４に示す。第１実施形態では、可動部（５１０）と支持部（５３０）が一体に形成されている。可動部（５１０）は外観形状に何らの制限は無いものの第１実施形態では凡そ矩形板状とされ、この矩形板状の可動部（５１０）の一端から突き出た部分が形成されている。この突き出た部分には貫通孔（５３１）が設けられている。支持部（５３０）は、この貫通孔（５３１）の周辺の部分である。
【００２６】
ところで、ハンマーＡ（１４０Ａ）の端部（１４７）には、側方〔図１、図４では、紙面の前面側および背面側である。〕に向けて軸（１４８）が突設されている。図４は平面図であるため紙面の背面側が描かれていないが、脱進器（５００）の支持部（５３０）がハンマーＡ（１４０Ａ）の端部（１４７）を挟むようにして組み合わされ、支持部（５３０）に設けられた貫通孔（５３１）に軸（１４８）が挿入されている。このため、支持部（５３０）と一体に形成された可動部（５１０）は、軸（１４８）周りに回動してハンマー（１４０）に対して相対的に変位可能となっている。もちろん、支持部（５３０）と可動部（５１０）は一体に形成された剛体であるから、可動部（５３０）の回動運動によって支持部（５３０）も回動運動する。ただし、この構成では、可動部（５１０）が軸（１４８）周りに回動してハンマー（１４０）に対して相対的に変位しても、支持部（５３０）のハンマー（１４０）に対する位置関係は変わらない。
【００２７】
なお、可動部（５１０）は、ハンマーＡ（１４０Ａ）の端部（１４７）が鍵（１０）の押鍵動作に応じて進行する側、つまり図４では端部（１４７）の上方に位置している。
【００２８】
可動部（５１０）は、図４ではバネで例示している弾性体（５２０）の一端が接続されている。そして、弾性体（５２０）の他端は、ハンマー（１４０）に接続されている。このため、ハンマー（１４０）が非押鍵時の静止状態にあるとき、可動部（５１０）は、ハンマー（１４０）に対する相対的な位置関係を保っている。
なお、支持部（５３０）と弾性体（５２０）の位置関係は、支持部（５３０）が、ハンマー（１４０）の支軸（１４１）に近い側に設けられ、弾性体（５２０）は、ハンマー（１４０）の支軸（１４１）から遠い側に設けられている位置関係である。
【００２９】
このような構成では、鍵（１０）を非常にゆっくりと押鍵すると、鍵（１０）に連動してハンマーＡ（１４０Ａ）が非常にゆっくりと上方に向かって傾動し、脱進器（５００）も上方に向かって移動する。このとき、ハンマーＡ（１４０Ａ）が非常にゆっくりと傾動するため、可動部（５１０）にはほとんど遠心力が働かない。従って、可動部（５１０）は、軸（１４８）回りに回動せず、ハンマー（１４０）が非押鍵時の静止状態にあるときのハンマー（１４０）に対する相対的な位置関係を保っている。
【００３０】
ところで、ハンマーＡ（１４０Ａ）の上方に位置するフレーム（１００）には第２部材である受け部（１７０）が設けられており、ハンマーＡ（１４０Ａ）が非常にゆっくりと上方に向かって傾動すると、やがて、ハンマーＡ（１４０Ａ）の制止部材当接部（１４９）が第３のストッパー（１５３）に当接する前に、可動部（５１０）が受け部（１７０）にぶつかるようになっている〔図２参照〕。換言すると、ハンマーＡ（１４０Ａ）がゆっくりと上方に向かって傾動したときに、ハンマーＡ（１４０Ａ）の制止部材当接部（１４９）が第３のストッパー（１５３）に当接する前に、可動部（５１０）が受け部（１７０）にぶつかるような位置に、受け部（１７０）が設けられるのである。
【００３１】
この実施形態では、フレーム（１００）の端部に断面Ｌ字型の受け部（１７０）が取り付けられており、可動部（５１０）の角部（５１１）が受け部（１７０）にぶつかるようになっている〔図２参照〕。受け部（１７０）のＬ字の屈曲部と可動部（５１０）の角部（５１１）は、それぞれ緩やかな湾曲となるように曲率半径が大とされており、この両者の湾曲部が掠るようにぶつかる。
しかし、脱進器（５００）の構成によれば、可動部（５１０）が受け部（１７０）にぶつかった後、可動部（５１０）は軸（１４８）回りで弾性体（５２０）を圧縮するように回動することができる。
従って、受け部（１７０）は、可動部（５１０）にぶつかるものの、可動部（５１０）が受け部（１７０）から逃げるように運動するため、押鍵動過程において、受け部（１７０）の可動部（５１０）に対する相対的な進行が妨げられることがない。
【００３２】
ぶつかった後での押鍵動作過程では、受け部（１７０）は、可動部（５１０）と接触しながら滑るが、受け部（１７０）の相対的進行方向に可動部（５１０）から大きな力をうけることなく、やがて、ハンマーＡ（１４０Ａ）の制止部材当接部（１４９）が第３のストッパー（１５３）に当接する〔図３参照〕。
【００３３】
以上のように、鍵（１０）を非常にゆっくりと押鍵した場合、鍵（１０）の荷重（押鍵反力）は、鍵（１０）の或る沈下量にて可動部（５１０）と受け部（１７０）とがぶつかることで、増大変化する。しかし、両者がぶつかった後、受け部（１７０）の相対的進行を妨げないように可動部（５１０）が運動しつつ、鍵（１０）が押下することで、鍵（１０）の荷重は減少変化に転じる。このため、演奏者は擬似的なレットオフ感を得ることができる。
【００３４】
なお、離鍵すると、弾性体（５２０）がハンマー（１４０）と可動部（５１０）との間に橋設されているため、ハンマー（１４０）が非押鍵時の静止状態にあるときのハンマー（１４０）に対する相対的位置に回復する。また、離鍵に際して、可動部（５１０）は、押鍵時に受け部（１７０）から受けたような力を受けることがないため、演奏者に違和感を知覚せしめることがない。もちろん、弾性体（５２０）の伸長による可動部（５１０）の運動が生じるが、受け部（１７０）との衝突ほどの感覚を惹起せしめるものではなく、弾性体（５２０）の弾性定数（バネ定数）や可動部（５１０）の重さを適当に設定することで可動部（５１０）の不要な振動を抑制できるから演奏上問題はない。なお、可動部（５１０）の不要な振動を抑制するには、弾性体（５２０）の弾性定数（バネ定数）や可動部（５１０）の重さを適当に設定する解決方法のみならず、弾性体（５２０）が伸長する向きの可動部（５１０）の運動を制止するストッパーをハンマーＡ（１４０Ａ）に設けるという解決方法もある。
【００３５】
今までは、鍵（１０）を非常にゆっくりと押鍵した場合で説明した。次に、鍵（１０）を弱押鍵した場合で説明する。但し、基本的な運動メカニズムは非常にゆっくりと押鍵した場合と同じであるから、相違点のみを説明する。
【００３６】
弱押鍵の場合、或る程度の速度・加速度で、ハンマー（１４０）が上方に向かって傾動するから、可動部（５１０）に遠心力が働く。しかし、可動部（５１０）は支持部（５３０）に拘束されているため、この実施形態の脱進器（５００）の構成であれば、軸（１４８）回りに弾性体（５２０）を圧縮するようにモーメントが働く。
【００３７】
この結果、可動部（５１０）が受け部（１７０）にぶつかるときには、既に、ハンマー（１４０）が非押鍵時の静止状態にあるときのハンマー（１４０）に対する可動部（５１０）の相対的な位置関係が失われている。
【００３８】
つまり、可動部（５１０）が受け部（１７０）にぶつかる際、可動部（５１０）は、ハンマー（１４０）が非押鍵時の静止状態にあるときのハンマー（１４０）に対する相対的位置よりも、ハンマー（１４０）に近接した位置にある。従って、可動部（５１０）は、角部（５１１）よりも支持部（５３０）により近い部分で、受け部（１７０）にぶつかる〔図５参照〕。このとき、受け部（１７０）の湾曲部が可動部（５１０）の平たい部分に掠るようにぶつかり、ぶつかった後、可動部（５１０）は軸（１４８）回りで弾性体（５２０）を圧縮するように回動することができるから、受け部（１７０）の可動部（５１０）に対する相対的な進行が妨げられることがない。
ぶつかった後の運動メカニズムは、非常にゆっくりと押鍵した場合と同様である。
【００３９】
鍵（１０）を弱押鍵した場合、鍵（１０）の荷重（押鍵反力）は、鍵（１０）の或る沈下量にて可動部（５１０）と受け部（１７０）とがぶつかることで、増大変化する。しかし、両者がぶつかった後、受け部（１７０）の相対的進行を妨げないように可動部（５１０）が運動しつつ、鍵（１０）が押下することで、鍵（１０）の荷重は減少変化に転じる。このため、演奏者は擬似的なレットオフ感を得ることができる。ただし、この場合での沈下量は、非常にゆっくりと押鍵した場合の沈下量よりも大であり、あがきに近い。
【００４０】
次に、鍵（１０）を強押鍵した場合で説明する。基本的な運動メカニズムは非常にゆっくりと押鍵した場合や弱押鍵の場合と同じであるから、弱押鍵の場合との相違点のみを説明する。
【００４１】
強押鍵の場合、弱押鍵の場合よりも大の速度・加速度で、ハンマー（１４０）が上方に向かって傾動するから、可動部（５１０）に強い遠心力が働く。
この結果、可動部（５１０）が受け部（１７０）にぶつかる際、可動部（５１０）は、ハンマー（１４０）が非押鍵時の静止状態にあるときのハンマー（１４０）に対する相対的位置よりも、ハンマー（１４０）にかなり近接した位置にある。従って、可動部（５１０）は、角部（５１１）よりも支持部（５３０）に十分に近い部分で、受け部（１７０）にぶつかる〔図６参照〕。
【００４２】
鍵（１０）を強押鍵した場合、弱押鍵と同様、鍵（１０）の荷重（押鍵反力）は、鍵（１０）の或る沈下量にて可動部（５１０）と受け部（１７０）とがぶつかることで、増大変化し、その後に減少変化に転じる。しかし、強押鍵の場合での沈下量は、弱押鍵の場合の沈下量よりも大であり、あがきに十分に近い。このため、可動部（５１０）と受け部（１７０）とがぶつかったことによる荷重増大と、ハンマー（１４０）が第３のストッパー（１５３）によって制止されたことによる荷重増大が、鍵（１０）のほぼ同じ沈下量で得られるようになる。従って、この間に荷重が減少したとしても、強押鍵時において演奏者は鍵（１０）の荷重変化を知覚し難く、演奏者はレットオフ感を得ないかあるいは得難くなる。
【００４３】
なお、強押鍵の場合でも、可動部（５１０）が受け部（１７０）に常にぶつかるとは限らない。弾性体（５２０）の弾性定数（バネ定数）、可動部（５１０）の重さを適当に設定することで、強押鍵時の遠心力を受けたとき、ハンマー（１４０）が非押鍵時の静止状態にあるときのハンマー（１４０）に対する相対的位置よりも、可動部（５１０）がハンマー（１４０）にかなり近接した位置に移動するようにすることができる。このため、可動部（５１０）が受け部（１７０）にぶつかることなく、ハンマーＡ（１４０Ａ）の制止部材当接部（１４９）が第３のストッパー（１５３）によって制止される。なお、この構成は、弾性体（５２０）の弾性定数（バネ定数）、可動部（５１０）の重さを適当に設定することのみならず、支持部（５３０）近傍の可動部（５１０）の形状を適当に成形することによっても達成できる。
【００４４】
この場合、鍵（１０）の荷重（押鍵反力）には、可動部（５１０）と受け部（１７０）とがぶつかることによる増大変化がなくまた減少変化もない。従って、演奏者はレットオフ感を得ることがない。
【００４５】
今まで、押鍵動作の態様として、鍵（１０）を非常にゆっくりと押鍵した場合、弱押鍵の場合、強押鍵の場合で説明してきた。これらの態様は、厳格に区別できるものではなく、また、非常にゆっくりと押鍵から、弱押鍵へ、そして強押鍵へと段階的に変化するものでもなく、押鍵動作の態様は連続的に変化するものである。従って、鍵（１０）の押鍵動作の態様に応じて可動部（５１０）のハンマー（１４０）に対する相対的な位置が異なることになる。
【００４６】
また、押鍵動作の態様は連続的に変化するから、可動部（５１０）に働くモーメントが弱いほど、可動部（５１０）が受け部（１７０）にぶつかるときの可動部（５１０）のハンマー（１４０）に対する相対的な位置が、ハンマー（１４０）が静止状態にあるときの可動部（５１０）のハンマー（１４０）に対する相対的な位置に近くなる。この場合、可動部（５１０）が受け部（１７０）にぶつかるときのハンマーＡ（１４０Ａ）の制止部材当接部（１４９）と第３のストッパー（１５３）との距離が遠くなる。
【００４７】
一方、押鍵動作の態様は連続的に変化するから、可動部（５１０）に働くモーメントが強いほど、可動部（５１０）が受け部（１７０）にぶつかるときの可動部（５１０）のハンマー（１４０）に対する相対的な位置が、ハンマー（１４０）が静止状態にあるときの可動部（５１０）のハンマー（１４０）に対する相対的な位置から離れる。この場合、可動部（５１０）が受け部（１７０）にぶつかるときのハンマーＡ（１４０Ａ）の制止部材当接部（１４９）と第３のストッパー（１５３）との距離が近くなる。
【００４８】
可動部（５１０）の材質は、特に限定はなく、例えば、金属、合成樹脂などである。一方、受け部（１７０）の材質も、特に限定はなく、例えば、金属、合成樹脂などである。但し、両者の材質の組み合わせによっては、両者がぶつかったときに音が大きく発生し、電子楽器の品質を低下する虞がある。そこで、両者の材質の組み合わせは、両者がぶつかったときに音がなるべく発生しないものとするのがよい。これは設計事項の範疇であるが、例えば、可動部（５１０）の材質を金属にしたならば、受け部（１７０）の材質をゴムやフェルトなどにするのがよい。また、両者の材質の組み合わせは、ハンマー（１４０）の材質と第３のストッパー（１５３）の材質との組み合わせが参考になる。
【００４９】
≪第２実施形態≫
以下、本発明の第２実施形態を図面参照して説明する。第２実施形態は、脱進器を第１部材とは別体構成とした場合である。第１実施形態の構成要素と同じ部材には同一の符号を附して詳しい説明を略する。また、第１実施形態と異なる部分について説明を行う。
【００５０】
図７に示すように、第２実施形態の脱進器（６００）は、取付部（６０１）、ヒンジ部（６０２）、可動部（６０３）および弾性体（６０４）から構成される。
【００５１】
取付部（６０１）は、ハンマー（１０４）などに例示される第１部材に固定して取り付けられる部分であり、例えば、有底筒状に形成され、この中空部に第１部材の一部が押し込むように挿入されて脱進器（６００）が第１部材に固定される。あるいは、取付部（６０１）は、第１部材の一部が嵌合する溝が形成せれ、この溝に第１部材の一部がはめ込まれて脱進器（６００）が第１部材に固定される。なお、第１部材と取付部（６０１）とは接着剤等で固着してもよい。取付部（６０１）の形状は、このような形状に限定するものでなく、第１部材に取り付けることのできる形状であれば何でもよい。なお、取付方法も何ら制限がなく、取付方法によっては脱進器（６００）が脱着可能となることは云うまでも無い。脱着可能とすれば鍵盤装置のメンテナンス性が向上する。
【００５２】
取付部（６０１）には、ヒンジ部（６０２）が設けられているとともに、これと異なる部位に弾性体（６０４）の一端が接続されており、このヒンジ部（６０２）を介して取付部（６０１）に可動部（６０３）が接続されている。可動部（６０３）は、このヒンジ部（６０２）に支持されており、ヒンジ部（６０２）を支点として傾動可能である。また、可動部（６０３）には、ヒンジ部（６０２）に接続されている部分と異なる部位に弾性体（６０４）の他端が接続されている。このため、可動部（６０３）は、静止状態において、取付部（６０１）に対する相対的な位置関係を保っている。
【００５３】
ヒンジ部（６０２）の構成は、例えば第１実施形態の支持部（５３０）と同様の構成とすることができる。つまり、取付部（６０１）に軸を設け、可動部（６０３）の一部に軸が挿通する貫通孔を設けるとし、この貫通孔の周辺部位をヒンジ部（６０２）とするのである。あるいは、可動部（６０３）と取付部（６０１）を同じ材質、例えば合成樹脂で一体に形成する場合には、可動部（６０３）と取付部（６０１）との接続部分の合成樹脂を薄く形成することで撓みを持たせることができるから、この接続部分をヒンジ部（６０２）とすればよい。いずれにしても、ヒンジ部（６０２）の構成に限定はない。
【００５４】
また、弾性体（６０４）は、例えばバネとすることができるが、バネに限定されるものではない。可動部（６０３）と取付部（６０１）を同じ材質、例えば合成樹脂で一体に形成する場合には、可動部（６０３）と取付部（６０１）との接続部分の合成樹脂を薄く形成することで撓みを持たせることができるから、この接続部分の合成樹脂を弾性体（６０４）とすればよい。いずれにしても、弾性体（６０２）の構成に限定はない。
【００５５】
もちろん、取付部（６０１）、ヒンジ部（６０２）、可動部（６０３）および弾性体（６０４）を例えば合成樹脂などで一体形成する構成でもよい。この構成は脱進器（６００）の構成を簡便なものとし、モールド成形で容易に実現できる。また、脱進器（６００）の製造コストを低減できる。
【００５６】
なお、可動部（６０３）を例えば合成樹脂などで形成する場合では、可動部（６０３）に適度な重さを持たせるため、可動部（６０３）に金属片などの重量物（６０５）を埋設するようにしてもよい。
【００５７】
第１部材として例示するハンマー（１４０）に脱進器（６００）が取り付けられた状態を図８に示す。
この例では、可動部（６０３）がハンマーＡ（１４０Ａ）の端部（１４７）が鍵（１０）の押鍵動作に応じて進行する側、つまり端部（１４７）の上方に位置するように、ハンマーＡ（１４０Ａ）の端部（１４７）に脱進器（６００）が取り付けられている。
なお、ヒンジ部（６０２）と弾性体（６０４）の位置関係は、脱進器（６００）がハンマーＡ（１４０Ａ）に取り付けられた状態にて、ヒンジ部（６０２）が、ハンマー（１４０）の支軸（１４１）に近い側に位置し、弾性体（６０４）は、ハンマー（１４０）の支軸（１４１）から遠い側に位置するような位置関係である。
【００５８】
押鍵動作の態様に応じた脱進器（６００）の挙動は、ヒンジ部（６０２）を支持部（５３０）に、可動部（６０３）を可動部（５１０）に、弾性体（６０４）を弾性体（５２０）にそれぞれ読み替えて、第１実施形態で説明した挙動と同様のものであるから、説明を略する。
【００５９】
以上の各実施形態に限定さることなく、本発明の趣旨を逸脱しない限り適宜に実施可能である。例えば、上記実施形態では、鍵（１０）として白鍵を例示したが、黒鍵でも全く同様の構成を採用することができる。第１部材としてハンマー（１４０）とは別の部材を設けて、これに脱進器を取り付けるとしてもよい。また、本発明の鍵盤装置では、可動部の運動を阻害しない限り、ゴムスイッチ以外の各種センサを具備することができる。
【図面の簡単な説明】
【００６０】
【図１】電子楽器の鍵盤装置（１）の側面図。
【図２】鍵（１０）を非常にゆっくりと押鍵した場合に、脱進器（５００）と受け部（１７０）とぶつかったときの様子を示す鍵盤装置（１）の側面図。
【図３】鍵（１０）があがきに達したときの鍵盤装置（１）の側面図。
【図４】ハンマー（１４０）と脱進器（５００）を示した図。
【図５】鍵（１０）を弱押鍵した場合に、脱進器（５００）と受け部（１７０）とぶつかったときの様子を示す鍵盤装置（１）の側面図。
【図６】鍵（１０）を強押鍵した場合に、脱進器（５００）と受け部（１７０）とぶつかったときの様子を示す鍵盤装置（１）の側面図。
【図７】脱進器（６００）の側面図。
【図８】ハンマー（１４０）に取り付けた状態の脱進器（６００）を示す斜視図。
【符号の説明】
【００６１】
１          鍵盤装置
１０        鍵
１００      フレーム
１４０      ハンマー
１７０      受け部
５００      脱進器
５１０      可動部
５２０      弾性体
５３０      支持部
６００      脱進器
６０１      取付部
６０２      ヒンジ部
６０３      可動部
６０４      弾性体
【図１】
2009086425.tif 000003
【図２】
2009086425.tif 000004
【図３】
2009086425.tif 000005
【図４】
2009086425.tif 000006
【図５】
2009086425.tif 000007
【図６】
2009086425.tif 000008
【図７】
2009086425.tif 000009
【図８】
2009086425.tif 000010